(57)【要約】 【課題】  一旦設置すると、金庫自体を持ち去ることができず、防犯に対して極めて安全性の高い防犯用の金庫を提供する。【解決手段】  自動車の所定部材に固定される外箱（５）と、該外箱内に第１の位置と第２の位置とを採るように駆動可能に設けられ、その開口部に開閉扉（１３）が設けられている内箱（１０）とから構成する。内箱（１０）が第１の位置を採ると、内箱（１０）の開閉扉（１３）を操作する鍵穴（１５）が外箱（５）により隠蔽され、内箱（１０）が第２の位置を採ると、鍵穴（１５）が外箱（５）から露出してキー操作ができるようにする。内箱（１０）を手動的に第１の位置へ駆動すると、ロック機構によりロックされ、空気圧を作用させるとロック機構が解除されると共に空気圧により第２の位置へ駆動される。【選択図】  図１
2006161270.tif 000002
【特許請求の範囲】
【請求項１】
建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、
前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている金庫であって、
前記内箱は、手動的に第１の位置へ駆動されると該位置にロック機構によりロックされ、空気圧を作用させると前記ロック機構が解除されて第２の位置へ駆動されるようになっていることを特徴とする、防犯用の金庫。
【請求項２】
請求項１に記載の金庫において、前記内箱が空気圧により第２の位置へ駆動される、防犯用の金庫。
【請求項３】
請求項１に記載の金庫において、前記内箱がバネの復元力により第２の位置へ駆動される、防犯用の金庫。
【請求項４】
建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、
前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている金庫であって、
前記内箱は、手動的に第１の位置へ駆動されると該位置にロック機構によりロックされ、送信機から電波を送信すると前記ロック機構が解除されてバネの復元力により第２の位置へ駆動されるようになっていることを特徴とする、防犯用の金庫。
【請求項５】
建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、
前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている金庫であって、
前記内箱は、手動的に第１の位置へ駆動されると該位置にロック機構によりロックされ、送信機から電波を送信すると前記ロック機構が解除され、加えられる空気圧により第２の位置へ駆動されるようになっていることを特徴とする、防犯用の金庫。
【請求項６】
請求項４または５項に記載の金庫において、前記ロック機構は、設置箇所を異にして直列に設けられている複数個のスイッチのオン作用により解除される、防犯用の金庫。
【発明の詳細な説明】
【技術分野】
【０００１】
本発明は、外箱と、貨幣、証券等の貴重品が収納させる内箱とからなる防犯用の金庫に関し、さらに詳しくは、建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている防犯用の金庫に関するものである。
【背景技術】
【０００２】
個人用の小型金庫から業務用の大型金庫まで、使用目的に応じた各種の金庫が従来から色々提案されている。このような提案されている小型金庫は、比較的軽量で自由に移動でき、通常は例えば押入等に収納されている。したがって、必要時には押入の戸を開くと、金庫の扉も開くことができる状態になり、家庭的にもまた小規模の業務用にも多用されている。また、自動車のインストルメントパネルの近くにはダッシュボックスが設けられているので、このダッシュボックスも車検証、運転免許証等の小物入れように利用されている。
【０００３】
一方、大型金庫は、例えば銀行においてみられるように、据え置きタイプが多く、一般に耐火構造物の内部に設置されている。そして、耐火構造物の出入口は、耐火扉で閉鎖されるようになっている。したがって、耐火扉を開くと、内部に収納されている金庫の扉を開くことができる。
【０００４】
上記のように、小型金庫は、軽量で簡単に移動して保管場所を変更できる利点はあるが、軽量であるので、金庫そのものが盗難に遭う欠点がある。また、ダイヤル式あるいはキー式でもロック装置は金庫の外部から操作されるようになっているので、金庫が発見されると簡単にロックを外される危険性もある。一方、大型金庫は耐火構造物中に設けられているので、火災に対しても、さらには盗難に対して略万全といえる。しかしながら、建設コストが高く、家庭的あるいは小規模用に適しているとはいえない。また、建設コストが高いので、設置個所を簡単に変更できない不便さもある。さらには、大型で仰々しく、金庫が部屋を占有してしまう欠点もある。
【０００５】
【特許文献１】特開２００２−２０６３７３
【０００６】
そこで、本出願人は特許文献１により、盗難、火災等に対して安全で、しかも安価であると共に、必要時には簡単に利用できる、特に家庭用あるいは比較的小規模な業務用として好適な移動形の金庫を提供した。本出願人が提案した上記金庫は、室内を構成している壁の開口部を通って、該壁の外側の金庫収納位置と、壁の内側の金庫利用可能位置との間を移動可能に設けられ、少なくとも金庫利用可能位置へは駆動装置により駆動されるように構成されている。駆動装置はピストンシリンダユニットから構成されている。
【発明の開示】
【発明が解決しようとする課題】
【０００７】
このように、本出願人が提案している金庫は、通常は壁の外側の金庫収納位置に収納されているので、盗難、火災等に対して安全である、という優れた効果が得られ実用上格別問題はない。
しかしながら、改良の余地は認められる。例えば、金庫が退避位置から室内の利用可能な位置へ簡単に駆動される恐れがあり、一旦利用可能な位置へ移動されると、金庫自体が持ち去られる危険性がある。また、利用可能な位置での開閉扉のロックに対しては必ずしも万全とはいえない。さらには、退避位置という格別の設置スペースを必要とする問題もある。また、室内の利用可能な位置へ駆動されると、一見して金庫であることが認識され、盗難、意匠効果等に対する配慮に欠けるきらいもある。
【０００８】
また、自動車のダッシュボックスには、キーが設けられているので一応安全ではあるが、キーは単純な機構で構成されていることが多く、外部から容易にキーを外すことが可能で万全とはいえない。すなわち、駐車中の自動車のドアを不法に開けると、あるいはドアガラスを割って中へ侵入すると、ボックスは比較短時間に開くことができ、貴重品を安心して入れることはできない。
本発明は、上記したような従来の金庫の問題点あるいは欠点を解消した防犯用の金庫を提供することを目的とし、具体的には金庫を一旦設置すると、移動させることができず、したがって金庫自体を持ち去ることができない防犯用の金庫を提供することを目的としている。また、防犯に対して極めて高い安全性が保証された防犯用の金庫を提供することも目的としている。
【課題を解決するための手段】
【０００９】
本発明は、上記目的を達成するために、金庫は外箱と、この外箱の内部に駆動可能に設けられる内箱とから構成される。外箱は、室内に設置するときの意匠効果を高めるために、筒状体、多角形、さらには球形でも実施できるが、望ましくは凹凸のないフラットな６面からなる直方体あるいは立方体として構成される。そして、外箱は、その底壁あるいは側壁が内側において設置場所例えば建築物の床面にボルト等により固定される。あるいは自動車の構成部材例えばトランクの底壁、側壁、車内の床壁等に固定される。このように、底壁あるいは側壁の内側において固定することにより、外箱すなわち金庫の外観形状が損なわれることはない。また、金庫自体が軽量であっても持ち去られることはない。また、本発明は前記目的を達成するために、複数重のロック装置が採用される。具体的には実施の形態の項で説明するワイヤレスロック機構、内箱の開閉扉をロックするキーロック機構等が採用される。
【００１０】
かくして、請求項１に記載の発明は、前記発明の目的を達成するために、建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている金庫であって、前記内箱は、手動的に第１の位置へ駆動されると該位置にロック機構によりロックされ、空気圧を作用させると前記ロック機構が解除されて第２の位置へ駆動されるように構成される。請求項２に記載の発明は、請求項１に記載の金庫において、前記内箱が空気圧により第２の位置へ駆動されるように構成され、請求項３に記載の発明は、請求項１に記載の金庫において、前記内箱がバネの復元力により第２の位置へ駆動されるように構成される。
請求項４に記載の発明は、建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている金庫であって、前記内箱は、手動的に第１の位置へ駆動されると該位置にロック機構によりロックされ、送信機から電波を送信すると前記ロック機構が解除されてバネの復元力により第２の位置へ駆動されるように構成される。請求項５に記載の発明は、建物内の所定部材あるいは自動車の内部の所定部材に固定されるようになっている外箱と、該外箱内に第１の位置と第２の位置とを採るように駆動可能に設けられ、その開口部に開閉扉が設けられている内箱とからなり、前記内箱が第１の位置を採ると、前記内箱の開閉扉を操作する鍵穴が前記外箱により隠蔽され、前記内箱が第２の位置を採ると、前記鍵穴が前記外箱から露出してキー操作ができるようになっている金庫であって、前記内箱は、手動的に第１の位置へ駆動されると該位置にロック機構によりロックされ、送信機から電波を送信すると前記ロック機構が解除され、加えられる空気圧により第２の位置へ駆動されるように構成される。請求項６に記載の発明は、請求項４または５項に記載の金庫において、前記ロック機構は、設置箇所を異にして直列に設けられている複数個のスイッチのオン作用により解除されるように構成される。
【発明の効果】
【００１１】
以上のように、本発明による金庫は、建物内の所定部材あるいは自動車の内部の所定部材に固定されるようになっている外箱と、該外箱内に第１の位置と第２の位置とを採るように駆動可能に設けられ、その開口部に開閉扉が設けられている内箱とから構成されているので、開閉扉を開けて内箱内に貨幣、有価証券等の貴重品を収納・保管することができる。このとき、外箱は内側から固定されるようになっているので、外箱すなわち金庫自体が軽量でも持ち去られるようなことはない。また、内箱が第１の位置を採ると、内箱の開閉扉を操作する鍵穴が外箱により隠蔽され、前記内箱が第２の位置を採ると、前記鍵穴が前記外箱から露出してキー操作ができるので、すなわち二重にロック機能が働いているので、極めて安全であるという、本発明に特有の効果が得られる。このとき、内箱は圧縮空気またはバネの復元力により第２の位置へ駆動されるようになっているので、構造が簡単、軽量で簡易防犯用金庫あるいは自動車搭載の金庫として最適である。また、送信機から電波を送信するとロック機構が解除される発明によると、自動車のバッテリから電源をとることもできるし、シガーレットライターからとることもできる。このとき、送信機が可搬式になっていると、自動車から離れるときは、送信器を携えていると、例えドアのロックを忘れていても盗難から逃れる効果が得られる。また、複数個のスイッチが直列に複数個設けられている発明によると、複数個のスイッチを例えばインストルメントパネルの近く、座席の横、トランクの側壁等に分散させて取り付けることができる。そして、これらの全てのスイッチをオンしないと、ロック回路がオンしないので、さらに安全である。
【発明を実施するための最良の形態】
【００１２】
以下、添付図面により本発明の実施の形態を説明する。図１は、本発明の実施の形態に係わる防犯用の金庫１を示す図で、その（イ）は設置状態すなわち内箱１０が第１の位置にある状態で示す模式的断面図、その（ロ）は第２の位置にある状態で同様に模式的に全体を示す斜視図であるが、これらの図に示されているように、本実施の形態に係わる防犯用の金庫１は、内箱１０が第１の位置にある状態あるいは貴重品保管状態では、外表面には凹凸のないフラットな６面からなる直方体を呈している。そして、図１の（ロ）に示されているように、第２の位置では内箱１０の上端部が外箱５の開口部７から所定量上方へ出て、キーロック機構としての鍵穴１５が外部から操作できるようになる。以下、さらに詳しく説明する。
【００１３】
第１の実施の形態に係わる防犯用の金庫１は、底壁２と、底壁２の４辺のそれぞれから立ち上がっている周壁３、３、…とから上面が開口した直方体を呈する外箱５を備えている。これらの周壁３、３、…は、本実施の形態では望ましくは耐火材料から構成され、そして底壁２がその内部から、室内Ｒを構成している床面Ｆに、図１の（イ）に示されているように、ボルトＢ（Ｂ）等により固定されている。したがって、外箱５が軽量でも一旦取り付けると、詳しくは後述する内箱１０を取り出さない限り移動させることはできない。また、外箱５の周壁３の所定箇所には、圧縮空気供給孔６が設けられている。
【００１４】
上記のように構成されている外箱５内に、内箱１０が上下方向へ向かって移動可能あるいは駆動可能に設けられている。この内箱１０は、外箱５と略同じ形状を呈し、その内部に貨幣、有価証券等の貴重品が収納されるようになっている。そして、その上方の開口部１１に、図１に示されているように、開閉扉１３が設けられている。この開閉扉１３は、図１に示されている実施の形態では、外側から見えない蝶番１４、１４により上方に開かれるようになっている。内箱１０の上端部の開閉扉１３の近傍には、すなわち内箱１０が外箱５内に押し込まれているとき外箱５により隠れる位置に、図１の（ロ）に示されているように、開閉扉１３をロックあるいは解除する鍵穴１５が設けられている。このように構成されている内箱１０の構成材料は、格別に限定されないが、開閉扉１３も望ましくは耐火材料から構成されている。そして、内箱１０が外箱５内に押し込まれると、図１の（イ）に示されているように、内箱１０の開閉扉１３が外箱５の開口部７を塞ぎ、金庫１全体が突起物のない直方体を呈するようになっている。
【００１５】
内箱１０を外箱５に押し込んだ第１の位置にロックするロック機構、内箱１０が外箱５から所定量持ち上がった第２の位置へ駆動する駆動装置等が、図１の（イ）に示されているように、外箱５の底壁２と内箱１０の底壁１２との間に設けられている。ロック機構は、外箱５の周壁３、３に取り付けられているストッパ２０、２０と、外箱１０の底壁２に固定されているロック受部材２１と、このロック受部材２１と共働するロック棒２５とからなっている。ロック受部材２１は、ロック棒２５の鍵部２６を案内するカム面２２と、ロック棒２５の鍵部２６が落ち込むロック溝２３とを有する。ロック棒２５の上方の端部は、内箱６の底壁１２にピン２７により揺動自在に取り付けられ、他方の下端部に下方へ曲げられた鍵部２６が形成されている。鍵部２６は所定の重量があり、ロック棒２５には所定の重力が作用する。一方、ピン２７の位置は、ロック溝２３の略真上に位置している。したがって、ロック棒２５の鍵部２６は、ロック溝２３に重力により落ち込むことになる。
【００１６】
ロック解除機構、内箱１０を第２の位置へ駆動する駆動機構等は、第１の実施の形態では圧力室から構成されている。すなわち、ロック棒２５には比較的小さい面積の第１の圧力室２８が取り付けられ、内箱１０の底部１２には大面積の第２の圧力室２９が取り付けられている。そして、これらの第１、２の圧力室２８、２９には可撓性のホース３０により、外箱５の圧縮空気供給孔６に接続されている。したがって、第１、２の圧力室２８、２９に、例えば可搬式のエアポンプＡＰにより圧縮空気を供給すると、ロック棒２５の鍵部２６はロック溝２３から外れ、内箱１０はロック位置すなわち第１の位置から上方の第２の位置へ駆動されることになる。
【００１７】
次に、上記第１の実施の形態の作用について説明する。内箱１０を外箱５から出し、外箱５をその底壁２を利用して所定の床面ＦにボルトＢ（Ｂ）により固定する。これにより、外箱５したがって金庫１は外部から見えない状態で床面Ｆに固定される。次いで、内箱１０を外箱５内に、図１の（ロ）に示されている状態になるまで収納する。鍵穴１５に別途保管されているキーを差し込み、開閉扉１３を開け、内箱１０の内部に貨幣、有価証券等の貴重品を収納する。開閉扉１３をロックし、そして手動的に押し込む。そうすると、内箱１０は、ストッパ２０、２０により支持される。このとき、ロック棒２５の鍵部２６はカム面２２により案内され、そしてロック溝２３に落ち込む。これにより、内箱１０は第１の位置にロックされ、図１の（イ）に示されている状態になる。金庫１はフラットな面からなる直方体を呈し、金庫１であることがカムフラージュされた状態になる。今は、外箱５したがって金庫１は床面Ｆに固定され、金庫１を持ち去ることはできない。また、内箱１０は外箱５の所定位置にロックされ、そして鍵穴１５は外箱５に隠れているので、内箱１０に収納されている貴重品は盗まれることはない。安全保管状態である。
【００１８】
内箱１０に収納されている貴重品を取り出すときは、適当な場所に別途保管されている例えば可搬式のエアポンプＡＰの吐出口を圧縮空気供給口６に接続し、圧縮空気を第１、２の圧力室２８、２９に供給する。そうすると、ロック棒２５の鍵部２６は、ロック溝２３から外れ、内箱１０は所定量だけ上方へ持ち上げられる。この第２の位置へ持ち上げられた状態が、図１の（ロ）に示されている。この第２の状態では、鍵穴１５は外箱５から露出している。鍵穴１５に別途保管されているキーを差し込み、開閉扉１３のロックを解く。開閉扉１３を開いて、内容物を取り出す。
【００１９】
図２に本発明の第２の実施の形態が示されている。第１の実施の形態によると、内箱１０は上方へ駆動されるようになっているが、第２の実施の形態によると内箱１０は、水平方向に駆動されるようになっている。図１に示されている第１の実施の形態の構成要素と同じような要素には同じ参照数字を付けて重複説明はしないが、本実施の形態によると、ロック受部材２１は内箱１０の方に取り付けられ、ロック棒２５の一方の端部は外箱５の側壁３に揺動自在に取り付けられている。
【００２０】
第２の実施の形態も、第１の実施の形態と同じように作用するので、詳しい説明はしないが、概略次のように作用する。図２の（ロ）に示されている第２の位置では、鍵穴１５は外部へ露出している。鍵穴１５にキーを差し込み、開閉扉１３を開いて内箱１０の内部に貴重品を収納する。開閉扉１３をロックし、そして手動的に押し込む。そうすると、内箱１０は、ストッパ２０（２０）により支持される。このとき、ロック棒２５の鍵部２６はカム面２２により案内され、そしてロック溝２３に落ち込む。これにより、内箱１０は第１の位置にロックされ、図２の（イ）に示されている状態になる。
【００２１】
内箱１０に収納されている貴重品を取り出すときは、別途保管されている例えば可搬式のエアポンプの吐出口を圧縮空気供給口６に接続し、圧縮空気を第１、２の圧力室２８、２９に供給する。そうすると、ロック棒２５の鍵部２６は、ロック溝２３から外れ、内箱１０は所定量だけ水平方向に駆動される。この第２位置へ駆動された状態が、図２の（ロ）に示されている。この第２の状態では、鍵穴１５は外箱５の開口部７から外部へ出ている。鍵穴１５に別途保管されているキーを差し込み、開閉扉１３のロックを解く。開閉扉１３を開いて、内容物を取り出す。
【００２２】
上記第１、２の実施の形態は、色々変形が可能である。例えば、図１、２に示されている実施の形態では、内箱１０は圧縮空気により第２の位置へ駆動されるようになっているが、外箱６の底壁２と内箱１０の底壁１２との間にコイルスプリングを設け、内箱１０を第１の位置へ押し込むとき、コイルスプリングを圧縮し、ロックを解除すると、その復元力により第２の位置へ駆動するように実施することもできる。また、上記実施の形態では、外箱５は室内Ｒを構成している床面Ｆに固定されているが、外箱５の他の壁を使用して例えば室内Ｒを構成している側壁等に固定するように実施することもできる。
【００２３】
次に、図３によりロック機構を電波あるいは赤外線信号で解除する実施の形態について説明する。図３の（イ）に示されている第３の実施の形態は、図１に示されている第１の実施の形態のロック機構を圧縮空気に代えて電波あるいは赤外線信号で解除し、内箱１０をコイルスプリング５０の復元力により第２の位置の上方へ駆動するもので、他の構成要件は同じであるので、同じ参照数字を付けて重複説明はしない。すなわち、外箱５の周壁３とロック棒２５とを結んでいる駆動棒５２の間に電磁石５３が介装され、この電磁石５３に通電されると、その磁力によりロック棒２５の鍵部２６がロック溝２３から外れるようになっている。また、外箱６の底壁２と内箱１０の底壁１２との間にコイルスプリング５０が設けられ、内箱１０を第１の位置へ駆動するとき、コイルスプリング５０が圧縮され、ロックを解除すると、その復元力により第２の位置へ駆動されるようになっている。
【００２４】
図３の（ロ）に示されている第４の実施の形態は、図２に示されている第２の実施の形態のロック機構を圧縮空気に代えて電波あるいは赤外線信号で解除し、内箱１０をコイルスプリング５０の復元力により、内箱１０を第２の位置へ水平方向に駆動するもので、他の構成要件は同じであるので、同じ参照数字を付けて重複説明はしない。ロック棒２５は電磁石５３により駆動されてその鍵部２６がロック溝２３から外れるようになっている。また、外箱６の周壁３と内箱１０の側壁１２’との間にコイルスプリング５０が設けられ、内箱１０を第１の位置へ駆動するとき、コイルスプリング５０が圧縮され、電波あるいは赤外線信号を発してロックを解除すると、その復元力により第２の位置へ駆動されるようになっている。上記第３、４の実施の形態が、第１、２の実施の形態と略同じように作用することは明らかである。
【００２５】
上記電磁石５３を含んだロック回路６０の第１の実施の形態が図４の（イ）に示されている。ロック回路６０は、電磁石５３と、受信部を備えたリモートスイッチ６１と、手動的に操作されるスイッチ６２とから構成され、そしてこれらのスイッチと電源Ｖとが直列に接続されている。また、ロック回路６０には、赤外線、電波等を発信する可搬式の送信器６３が備えられている。
【００２６】
図３の（イ）、（ロ）に示されている電磁石５３に通電するときは、スイッチ６２をオンし、そしてリモートスイッチ６１を送信器６３から電波あるいは赤外線信号を発射し、オンする。そうすると、電磁石５３に通電され、ロック棒２５の鍵部２６がロック溝２３から外れる。内箱１０は、コイルスプリング５０の復元力により第２の位置へ駆動される。以下前述したようにして、鍵穴１５にキーを挿入して開閉扉１３を開ける。本実施の形態によると、リモートスイッチ６１と手動で操作されるスイッチ６２とが直列に設けられているので、両スイッチ６１、６２を共にオンしなければ、ロックが解除されず、より安全である。
【００２７】
ロック回路６０’の他の実施の形態が図４の（ロ）に示されている。本実施の形態によると、入力回路ＩＮと論理回路ＲＯと出力回路ＯＵＴとからなっている。入力回路ＩＮは、本実施の形態では３個のスイッチ７１、７２、７３を備えている。そして、これらのスイッチ７１〜７３は、それぞれが離れた適当な箇所に設けられている。論理回路ＲＯは、３個のダイオード７４〜７６からなり、これらのダイオード７４〜７６が共にオンするときＡ点がハイ「Ｈ」になる。出力回路ＯＵＴは、トランジスタ７７を備え、Ａ点が「Ｈ］になると、トランジスタ７７がオンし、コイル７８に通電され、そのスイッチ７９がオンするようになっている。スイッチ７９がオンしたとき、電磁石５３が作動し、ロック状態が解除される。
【００２８】
上記ロック回路６０’は、色々な箇所に離して設けられているスイッチ７１〜７３を共にオンしたときにのみ、出力回路ＯＵＴのトランジスタ７７がオンし、電磁石５３が作動してロック状態が解除されるので、極めて安全である。すなわち、複数個のスイッチ７１〜７３を探し出さなければ、金庫１を開くことができないので、安全である。
【００２９】
上記実施の形態では、金庫１は建物内に設置される例について説明したが、外箱５を自動車の構造物に固定するように実施することもできる。このとき、望ましくは自動車の内部例えばトランク内の壁壁、底壁等に固定するように実施する。しかしながら、自動車の屋根の上に取り付けられるルーフボックスとしても適用できることは明らかである。また、図３に示されている第３、４の実施の形態では内箱１０は、コイルスプリング１０の復元力により第２の位置へ駆動されるようになっているが、圧縮空気で駆動するように実施することもできる。
上記ロック回路６０’も色々変形が可能である。例えば、入力回路ＩＮの１個の手動的なスイッチ７１に代えて、図４の（イ）に示されているようなリモートスイッチ６１を設けることもできる。また、スイッチの数を増減して実施できることは明らかである。例えば、自動車に適用するときはインストルメントパネルの近傍、座席の側部、トランクのコーナ部等に設け、これらのスイッチが共にオンしたときのみロックが解除されるようにすることもできる。
【図面の簡単な説明】
【００３０】
【図１】本発明の第１の実施の形態に係わる防犯用の金庫を示す図で、その（イ）は第１の位置にある状態を模式的に示す断面図で、その（ロ）は第２の位置にある状態を示す斜視図である。
【図２】本発明の第２の実施の形態に係わる防犯用の金庫を示す図で、その（イ）は第１の位置にある状態を模式的に示す断面図で、その（ロ）は第２の位置にある状態を示す斜視図である。
【図３】本発明の第３、４の実施の形態に係わる防犯用の金庫を示す図で、その（イ）、（ロ）は第１、２の位置にある状態をそれぞれ模式的に示す断面図である。
【図４】本発明に係わる、それぞれ異なるロック回路の実施の形態を示す回路図である。
【符号の説明】
【００３１】
１    防犯用の金庫            ２    底壁
３    周壁                    ５    外箱
６    圧縮空気接続口        １０    内箱  
１２    開閉扉                １５    キー鍵穴   
２１    ロック受部材          ２３    ロック溝  
２５    ロック棒              ２６    鍵部  
２８    第１の圧力室          ２９    第２の圧力室
３０    可撓性ホース          ５０    コイルスプリング
５３    電磁石                ６０、６０’  ロック回路
６１    リモートスイッチ      ６３    送信器
【図１】
2006161270.tif 000003
【図２】
2006161270.tif 000004
【図３】
2006161270.tif 000005
【図４】
2006161270.tif 000006